(57)【要約】【課題】吹出口から吹き出されたイオンの量を多くすることができるヘアケア装置を提供する。【解決手段】制御部２１は、イオン量増加モード選択部によってイオン量増加モードが選択されると、吹出口１１からの吹出空気の温度が、予め定められたイオン量増加温度範囲に入るように、ヒータ５の出力を制御する。これにより、イオン量増加モード時に、吹出口１１から吹き出された正イオンおよび負イオンの量を、多くすることができる。【選択図】図３
2013102804.tif 000002
【特許請求の範囲】
【請求項１】
吹出口および吸込口を有するケーシングと、
上記ケーシング内に配置された送風装置と、
上記ケーシング内に配置されたヒータと、
上記ケーシング内に配置されると共にイオンを発生するイオン発生器と、
上記イオン発生器によって発生されたイオンの量を増加するイオン量増加モードを選択するためのイオン量増加モード選択部を有する操作部と、
上記イオン量増加モード選択部によって上記イオン量増加モードが選択されると、上記吹出口から吹き出された吹出空気の温度が、上記イオン発生器によって発生されたイオンの量が極大値または極大値近傍となる予め定められたイオン量増加温度範囲に入るように、上記ヒータの出力を制御する制御部と
を備えることを特徴とするヘアケア装置。
【請求項２】
請求項１に記載のヘアケア装置において、
上記イオン発生器は、正イオンと負イオンとを発生させることを特徴とするヘアケア装置。
【請求項３】
請求項２に記載のヘアケア装置において、
上記正イオンは、Ｈ＋（Ｈ２Ｏ）ｍ（ｍは任意の自然数）であり、上記負イオンは、Ｏ２−（Ｈ２Ｏ）ｎ（ｎは任意の自然数）であることを特徴とするヘアケア装置。
【請求項４】
請求項１から３の何れか一つに記載のヘアケア装置は、ヘアドライヤであり、
上記操作部は、セットモードを選択するためのセットモード選択部と、ドライモードを選択するためのドライモード選択部とを有し、
上記セットモードにおける上記吹出空気の風量は、上記ドライモードにおける上記吹出空気の風量よりも小さく、上記セットモードにおける上記吹出空気の温度は、上記ドライモードにおける上記吹出空気の温度よりも低く、
上記制御部は、上記イオン量増加モード時に、上記セットモードにおける上記ヒータの出力よりも小さな出力となるように、上記ヒータの出力を制御することを特徴とするヘアケア装置。
【請求項５】
請求項４に記載のヘアケア装置において、
上記イオン量増加温度範囲は、５０℃から１００℃であることを特徴とするヘアケア装置。
【発明の詳細な説明】
【技術分野】
【０００１】
この発明は、例えば、ヘアドライヤやヘアアイロンなどのヘアケア装置に関する。
【背景技術】
【０００２】
従来、ヘアケア装置としては、吹出口および吸込口を有するハウジングと、ハウジング内に配置された送風ファンと、ハウジング内に配置されたヒータと、ハウジング内に配置されると共にプラスイオンおよびマイナスイオンを発生するイオン発生器とを備えたものがある（特開２００８−４９１０１号公報：特許文献１参照）。
【先行技術文献】
【特許文献】
【０００３】
【特許文献１】特開２００８−４９１０１号公報
【発明の概要】
【発明が解決しようとする課題】
【０００４】
しかしながら、上記従来のヘアケア装置では、イオン発生器からプラスイオンおよびマイナスイオンを発生させているが、このプラスイオンとマイナスイオンが中和されて消失してしまう、またイオンが自然消失するという問題があった。
【０００５】
そこで、この発明の課題は、吹出口から吹き出されたイオンの量をさらに多くすることができるヘアケア装置を提供することにある。
【課題を解決するための手段】
【０００６】
本願発明者ら（発明者が複数人）は、同じ数のイオンを放出しても、そのイオンの存在量が、吹出空気の温度を変数とすると、一つの極大値が存在することを、初めて発見した。
【０００７】
この理論的な根拠は確かでないが、次の理由が想定される。
【０００８】
第１には、雰囲気温度が高すぎると、Ｈ＋のプラスイオンおよびＯ２−のマイナスイオンのそれぞれを囲む水分子（Ｈ２Ｏ）の運動エネルギーが非常に高くなって、水分子がＨ＋およびＯ２−から離れてしまい、その結果、Ｈ＋とＯ２−が中和されて、イオンの量が減少すると考えられる。
【０００９】
第２には、雰囲気温度が適度な高温であると、水分子の運動エネルギーが適度に高くなり、その結果、放電による水分子からＨ＋およびＯ２−への変化量が増加すると共に、水分子に囲まれていないＨ＋およびＯ２−に水分子が吸着されてＨ＋とＯ２−との中和が抑制されると考えられる。
【００１０】
この発明のヘアケア装置は、上記発見に基づいてなされたもので、
吹出口および吸込口を有するケーシングと、
上記ケーシング内に配置された送風装置と、
上記ケーシング内に配置されたヒータと、
上記ケーシング内に配置されると共にイオンを発生するイオン発生器と、
上記イオン発生器によって発生されたイオンの量を増加するイオン量増加モードを選択するためのイオン量増加モード選択部を有する操作部と、
上記イオン量増加モード選択部によって上記イオン量増加モードが選択されると、上記吹出口から吹き出された吹出空気の温度が、上記イオン発生器によって発生されたイオンの量が極大値または極大値近傍となる予め定められたイオン量増加温度範囲に入るように、上記ヒータの出力を制御する制御部と
を備えることを特徴としている。
【００１１】
この発明のヘアケア装置によれば、上記制御部は、イオン量増加モード選択部によってイオン量増加モードが選択されると、吹出口からの吹出空気の温度が、予め定められたイオン量増加温度範囲に入るように、ヒータの出力を制御するので、イオン量増加モード時に、吹出口から吹き出されたイオンの量を、極大値または極大値近傍とできる。つまり、上記吹出口から吹き出されたイオンの量を、極大値または極大値に近い程度に多くすることができる。この結果、髪に対するイオン効果を最大限に発揮できる。例えば、大量のイオンを髪に供給することにより、髪に帯びた静電気の電荷を中和し静電気を除去して、髪のまとまりをよくすることができる。また、イオンを髪に最大限に供給できるので、イオンに付随する水を髪に十分に供給し、保湿を確保して、キューティクルダメージ等を防止し、髪を保護することができる。
【００１２】
上記ヒータの出力の制御は、デューティー制御でも、電圧制御でも、複数のヒータを部分的に駆動するものでもよい。
【００１３】
また、一実施形態のヘアケア装置は、上記イオン発生器は、正イオンと負イオンとを発生させる。
【００１４】
この実施形態のヘアケア装置によれば、上記イオン発生器は、正イオンと負イオンとを発生させるので、正イオンおよび負イオンの存在量を増大させることができる。
【００１５】
また、一実施形態のヘアケア装置は、上記正イオンは、Ｈ＋（Ｈ２Ｏ）ｍ（ｍは任意の自然数）であり、上記負イオンは、Ｏ２−（Ｈ２Ｏ）ｎ（ｎは任意の自然数）である。
【００１６】
この実施形態のヘアケア装置によれば、Ｈ＋（Ｈ２Ｏ）ｍである正イオンとＯ２−（Ｈ２Ｏ）ｎである負イオンの特有の性質により、放出された正イオンおよび負イオンは比較的長い期間存在するが、この場合においても、さらに、イオンの存在量を増大させることができる。
【００１７】
また、一実施形態のヘアケア装置は、ヘアドライヤであり、
上記操作部は、セットモードを選択するためのセットモード選択部と、ドライモードを選択するためのドライモード選択部とを有し、
上記セットモードにおける上記吹出空気の風量は、上記ドライモードにおける上記吹出空気の風量よりも小さく、上記セットモードにおける上記吹出空気の温度は、上記ドライモードにおける上記吹出空気の温度よりも低く、
上記制御部は、上記イオン量増加モード時に、上記セットモードにおける上記ヒータの出力よりも小さな出力となるように、上記ヒータの出力を制御する。
【００１８】
この実施形態のヘアケア装置によれば、上記制御部は、イオン量増加モード時に、セットモードにおけるヒータの出力よりも小さな出力となるように、ヒータの出力を制御するので、セットモード時よりも低温の状態で、イオンを髪に最大限に供給できて、髪に十分潤いを与えることができ、セット時等に髪の損傷を防止できる。
【００１９】
また、一実施形態のヘアケア装置では、上記イオン量増加温度範囲は、５０℃から１００℃である。
【００２０】
この実施形態のヘアケア装置によれば、上記イオン量増加温度範囲は、５０℃から１００℃であるので、イオンの量を一層確実に多くすることができる。
【発明の効果】
【００２１】
この発明のヘアケア装置によれば、上記制御部は、イオン量増加モード選択部によってイオン量増加モードが選択されると、吹出口からの吹出空気の温度が、予め定められたイオン量増加温度範囲に入るように、ヒータの出力を制御するので、吹出口から吹き出されたイオンの量を確実に多くすることができる。
【図面の簡単な説明】
【００２２】
【図１】この発明の一実施形態のヘアケア装置としてのヘヤドライヤの側面図である。
【図２】ヘヤドライヤの後面図である。
【図３】図２のIII−III線から見たヘヤドライヤの縦断面図である。
【図４】イオン発生器が取り付けられた状態で後部側の吸気フィルタが外されたヘヤドライヤを後方から見たときの斜視図である。
【図５】イオン発生器を前面側(吹出口に対向する側)から見たときの斜視図である。
【図６】ヘヤドライヤのブロック図である。
【図７Ａ】第１の実機で、ターボをオフにした状態で、クールモード、セットモード、セットヘアケアモード、ドライモードおよびドライヘアケアモードのイオン濃度の変化を示す表である。
【図７Ｂ】図７Ａをもとに、同程度の風量となるクールモード、ドライモードおよびドライヘアケアモードにおいて、イオン濃度をプロットしたグラフである。
【図８Ａ】第１の実機で、ターボをオンにした状態で、クールモード、セットモード、セットヘアケアモード、ドライモードおよびドライヘアケアモードのイオン濃度の変化を示す表である。
【図８Ｂ】図８Ａをもとに、同程度の風量となるクールモード、ドライモードおよびドライヘアケアモードにおいて、イオン濃度をプロットしたグラフである。
【図９Ａ】第２の実機で、ターボをオフにした状態で、クールモード、セットモード、セットヘアケアモード、ドライモードおよびドライヘアケアモードのイオン濃度の変化を示す表である。
【図９Ｂ】図９Ａをもとに、同程度の風量となるクールモード、ドライモードおよびドライヘアケアモードにおいて、イオン濃度をプロットしたグラフである。
【図１０Ａ】第２の実機で、ターボをオンにした状態で、クールモード、セットモード、セットヘアケアモード、ドライモードおよびドライヘアケアモードのイオン濃度の変化を示す表である。
【図１０Ｂ】図１０Ａをもとに、同程度の風量となるクールモード、ドライモードおよびドライヘアケアモードにおいて、イオン濃度をプロットしたグラフである。
【発明を実施するための形態】
【００２３】
以下、この発明を図示の実施の形態により詳細に説明する。
【００２４】
図１は、この発明の一実施形態のヘアケア装置を示す側面図である。図１に示すように、ヘアケア装置の一例としてのヘアドライヤは、先細りの略円筒形状のケーシング１と、ケーシング１に回動自在に接続されたハンドル２と、ケーシング１の後部側（図１において右側）に着脱可能に取り付けられた吸気フィルタ３とを備える。
【００２５】
上記ケーシング１は、耐熱性に優れたプラスチックからなり、略円筒形状のケーシング１内の風通路Ｐ１の下流側（ケーシング１の前面側）に設けられた吹出口１１と、風通路Ｐ１の上流側（ケーシング１の後面側）の吸気フィルタ３に設けられた吸込口１２とを有している。このケーシング１内に配置された送風装置の一例としての送風ファン６（図３参照）により、吸込口１２から吸い込まれた空気が風通路Ｐ１を介して吹出口１１から吹き出すようになっている。
【００２６】
上記ハンドル２は、継手構造でケーシング１の下側に接続されて、ケーシング１に対して矢印Ｒ１の方向に折りたたみ可能になっている。ハンドル２は、一点鎖線に示すように、ケーシング１に対して折りたたまれた状態で収容される。
【００２７】
上記ハンドル２の前面側に、吹出口１１から吹き出された吹出空気の風量や温度などを操作する操作部１７を配置している。また、ハンドル２の後面側に電源コード４の一端が接続されている。
【００２８】
また、上記吸気フィルタ３は、金属またはプラスチックからなっている。この吸気フィルタ３に網目状や格子状の複数の孔を設けることにより吸込口１２を形成している。吸気フィルタ３は、埃等大きな異物が入らないようにすると共に、動作中に誤って指が風通路Ｐ１内に入って送風ファン６（図３参照）に触れることがないように保護する。
【００２９】
図２は、上記ヘヤドライヤの後面図を示している。図２に示すように、上記ケーシング１の後面側の吸気フィルタ３は、上下方向が長い楕円形状をしており、下側が円弧で切り欠かれている。
【００３０】
図３は、図２のIII−III線から見たヘヤドライヤの縦断面図を示している。図３に示すように、上記ケーシング１の風通路Ｐ１内には、風通路Ｐ１内の空気を加熱するヒータ５と、風通路Ｐ１に風を送る送風装置の一例としての軸流送風ファン６と、負イオンと正イオンとを発生するイオン発生器７とを、配置している。イオン発生器７と送風ファン６とヒータ５は、吸込口１２から吹出口１１に向かって、順に、並んでいる。
【００３１】
上記ハンドル２内には、制御部２１が配置されている。制御部２１は、操作部１７の操作に応じて、ヒータ５、送風ファン６およびイオン発生器７などを制御する。なお、制御部２１をケーシング１内に配置してもよい。
【００３２】
図４は、イオン発生器７が取り付けられた状態で後部側の吸気フィルタ３（図１参照）が外されたヘヤドライヤを、後方から、ケーシング１内を見たときの斜視図を示している。なお図４では、ハンドル２を省略している。
【００３３】
図４に示すように、上記ケーシング１内には、送風ファン６の上流側（吸込口１２側）でかつ下側に、凹部１３が設けられている。この凹部１３には、イオン発生器７が着脱可能に嵌め込まれている。ケーシング１内の上部には、吸気フィルタ３が係止される係止部１４が設けられている。
【００３４】
図５は、上記イオン発生器７を前面側（吹出口１１に対向する側）から見たときの斜視図を示している。
【００３５】
図５に示すように、上記イオン発生器７は、Ｈ＋（Ｈ２Ｏ）ｍ（ｍは任意の自然数）である正イオンとＯ２−（Ｈ２Ｏ）ｎ（ｎは任意の自然数）である負イオンとを発生する。これらのイオンは、空気中の浮遊細菌の表面に付着し、化学反応して活性種であるＨ２Ｏ２または・ＯＨ（水酸基ラジカル）を生成する。Ｈ２Ｏ２または・ＯＨは、極めて強力な活性を示すため、空気中の浮遊細菌であるカビや雑菌を取り囲んで不活化、除去することができる。
【００３６】
具体的に述べると、上記イオン発生器７は、正イオンを発生する正イオン発生部１５と、負イオンを発生する負イオン発生部１６とを有する。正イオン発生部１５と負イオン発生部１６は、イオン発生器７の前面側に互いに所定の間隔をあけて設けられている。
【００３７】
上記正イオン発生部１５は、先端が尖った針形状の針電極１５ａと、その針電極１５ａを取り囲むように配置されたドーナツ円板状の誘導電極１５ｂとを有している。針電極１５ａは、ドーナツ円板状の誘導電極１５ｂの略中心に位置している。針電極１５ａと誘導電極１５ｂの内周縁との間隔は８ｍｍに設定されている。
【００３８】
上記正イオン発生部１５では、例えば、針電極１５ａに実効電圧２ｋＶ以上の電圧と、０Ｖとが切り替わる６０Ｈｚ（または５０Ｈｚ）の交流が印加される一方、誘導電極１５ｂには、０Ｖの直流が印加される。針電極１５ａに実効電圧２ｋＶ以上が印加されているときに、針電極１５ａと誘導電極１５ｂとの間の電位差によるコロナ放電がおこり、針電極１５ａの先端部近傍で空気中の水分子が電離して、水素イオンＨ＋が生成する。この水素イオンが空気中の水分子と群状態で結合（クラスタリング）し、Ｈ＋（Ｈ２Ｏ）ｍ（ｍは任意の自然数）からなる正イオンが発生する。
【００３９】
一方、上記負イオン発生部１６も、先端が尖った針形状針電極１６ａと、その針電極１６ａを取り囲むように配置されたドーナツ円板状の誘導電極１６ｂとを有している。上記針電極１６ａは、ドーナツ円板状の誘導電極１６ｂの略中心に位置している。上記誘導電極１６ｂと針電極１６ａの内周縁との間隔は８ｍｍに設定されている。
【００４０】
上記負イオン発生部１６では、例えば、針電極１６ａに実効電圧−２ｋＶ以下の電圧と、０Ｖとが切り替わる６０Ｈｚ（または５０Ｈｚ）の交流が印加される一方、誘導電極１６ｂには、０Ｖの直流が印加されて、空気中の酸素分子または水分子が電離して、酸素イオンＯ２−が生成する。この酸素イオンが空気中の水分子と結合（クラスタリング）し、Ｏ２−（Ｈ２Ｏ）ｎ（ｎは任意の自然数）からなる負イオンが発生する。
【００４１】
図６は、ヘアドライヤのブロック図を示す。図６に示すように、上記操作部１７は、電源オンオフ切換部３１とターボオンオフ切換部３２とを有する。
【００４２】
上記電源オンオフ切換部３１では、電源をオフにすることで、制御部２１を介して、ヒータ５、送風ファン６およびイオン発生器７を非通電とする一方、電源をオンにすることで、制御部２１を介して、ヒータ５、送風ファン６およびイオン発生器７に通電する。
【００４３】
上記ターボオンオフ切換部３２では、ターボをオフにすることで、制御部２１を介して、送風ファン６の吹出空気の風量を通常の風量とする一方、ターボをオンにすることで、制御部２１を介して、送風ファン６の吹出空気の風量を通常の風量よりも１５％程度多くする。
【００４４】
また、上記操作部１７は、クールモードを選択するためのクールモード選択部４１と、セットモードを選択するためのセットモード選択部４２と、セットヘアケアモードを選択するためのセットヘアケアモード選択部４３と、ドライモードを選択するためのドライモード選択部４４と、ドライヘアケアモードを選択するためのドライヘアケアモード選択部４５と、イオン量増加モードを選択するためのイオン量増加モード選択部４６とを有する。そして、ヘアドライヤの運転状態において、クールモード、セットモード、セットヘアケアモード、ドライモード、ドライヘアケアモードおよびイオン量増加モードの何れか一つを選択できる。
【００４５】
上記吹出口１１からの吹出空気の温度に関しては、低い方から高い方へ、順に、クールモード、セットヘアケアモード、ドライヘアケアモード、セットモード、ドライモードとなる。なお、上記吹出口１１からの吹出空気の温度とは、ＪＩＳ Ｃ９６１３（７．６．１平常温度試験）に規定された方法で測定した温度である。
【００４６】
上記吹出口１１からの吹出空気の風量に関しては、小さい方から大きい方へ、順に、セットモード、セットヘアケアモード、ドライモード、ドライヘアケアモード、クールモードとなる。
【００４７】
そして、上記制御部２１は、各モード選択部４１〜４５によって選択された各モードに応じて、ヒータ５の出力を制御して吹出空気の温度を調整すると共に、送風ファン６の出力を制御して吹出空気の風量を調整する。
【００４８】
ここで、「ヒータ５の出力を制御する」とは、ヒータを１つ設けた場合、例えば、ヒータへの電力を変化するようにし、または、デューティー制御を行うようにする。また、ヒータを複数設けた場合、例えば、複数のヒータのうちの選択したヒータに通電を行うようにしてもよい。むろん複数のヒータでも電力を変化させる等他の方法と併用してもよい。
【００４９】
上記イオン量増加モード選択部４６によってイオン量増加モードが選択されると、上記制御部２１は、吹出口１１から吹き出された吹出空気の温度が、予め定められたイオン量増加温度範囲に入るように、ヒータ５の出力を制御する。つまり、制御部２１は、イオン量増加モード時に、セットモードにおけるヒータ５の出力よりも小さな出力となるように、ヒータ５の出力を制御する。
【００５０】
上記イオン量増加温度範囲は、イオン発生器７によって発生された正イオンおよび負イオンの量の極大値または極大値近傍を含む範囲である。イオン量増加温度範囲の最適な範囲としては、５０℃から１００℃である。
【００５１】
この極大値は、次のような実験により発見された。クールモード、セットモード、セットヘアケアモード、ドライモードおよびドライヘアケアモードにおけるイオン濃度の変化を測定した。なお、イオン濃度は、吹出口から外側に３ｃｍ離れた所で測定した値である。
【００５２】
図７Ａでは、第１のテスト機で、ターボをオフにした状態で、上記各モードのイオン濃度の変化を示す。そして、図７Ａをもとに、同程度の風量となるクールモード、ドライモードおよびドライヘアケアモードにおいて、イオン濃度をプロットしたグラフを、図７Ｂに示す。
【００５３】
図７Ｂでは、横軸に、吹出空気の温度を示し、縦軸に、イオン濃度を示す。また、図７Ｂでは、菱形に、正イオン濃度を示し、四角形に、負イオン濃度を示し、三角形に、正イオン濃度および負イオン濃度の合計のイオン濃度を示す。なお、図７Ｂでは、同程度の風量のモードについて比較したが、これは、風量が多いほどイオン濃度が大きくなるからである。イオンは発生すると同時に中和で消滅するため、速い風で送風することにより中和する前に取り出すことができ、イオン量が増加する。図７Ｂから、吹出空気の温度に対する正イオンおよび負イオンの量（イオン濃度）において極大値が存在することが、分かった。
【００５４】
同様に、図８Ａでは、第１のテスト機で、ターボをオンにした状態で、上記各モードのイオン濃度の変化を示す。そして、図８Ａをもとに、同程度の風量となるクールモード、ドライモードおよびドライヘアケアモードにおいて、イオン濃度をプロットしたグラフを、図８Ｂに示す。
【００５５】
図８Ｂでは、菱形に、正イオン濃度を示し、四角形に、負イオン濃度を示し、三角形に、正イオン濃度および負イオン濃度の合計のイオン濃度を示す。図８Ｂから、吹出空気の温度に対する正イオンおよび負イオンの量（イオン濃度）において極大値が存在することが、分かった。
【００５６】
さらに、図９Ａでは、第２のテスト機で、ターボをオフにした状態で、上記各モードのイオン濃度の変化を示す。そして、図９Ａをもとに、同程度の風量となるクールモード、ドライモードおよびドライヘアケアモードにおいて、イオン濃度をプロットしたグラフを、図９Ｂに示す。なお、第１のテスト機と第２のテスト機では異なるイオン発生器７を用いている。
【００５７】
図９Ｂでは、菱形に、正イオン濃度を示し、四角形に、負イオン濃度を示し、三角形に、正イオン濃度および負イオン濃度の合計のイオン濃度を示す。図９Ｂから、吹出空気の温度に対する正イオンおよび負イオンの量（イオン濃度）において極大値が存在することが、分かった。
【００５８】
同様に、図１０Ａでは、第２のテスト機で、ターボをオンにした状態で、上記各モードのイオン濃度の変化を示す。そして、図１０Ａをもとに、同程度の風量となるクールモード、ドライモードおよびドライヘアケアモードにおいて、イオン濃度をプロットしたグラフを、図１０Ｂに示す。
【００５９】
図１０Ｂでは、菱形に、正イオン濃度を示し、四角形に、負イオン濃度を示し、三角形に、正イオン濃度および負イオン濃度の合計のイオン濃度を示す。図１０Ｂから、吹出空気の温度に対する正イオンおよび負イオンの量（イオン濃度）において極大値が存在することが、分かった。
【００６０】
そして、図７Ｂ、図８Ｂ、図９Ｂ、図１０Ｂから、極大値または極大値近傍の範囲となるイオン量増加温度範囲を、５０℃から１００℃とすれば、イオンの正イオンおよび負イオンの量を確実に多くすることができることが、分かった。
【００６１】
このように、本願発明者らは、吹出空気の温度に対する正イオンおよび負イオンの量において一つの極大値が存在するということを、初めて見出し、この極大値または極大値近傍の範囲（５０℃〜１００℃）を、イオン量増加温度範囲と設定した。
【００６２】
なお、極大値が存在することの理論的な根拠は確かでないが、次の理由が考えられる。
【００６３】
第１には、雰囲気温度が高すぎると、Ｈ＋のプラスイオンおよびＯ２−のマイナスイオンのそれぞれを囲む水分子（Ｈ２Ｏ）の運動エネルギーが非常に高くなって、水分子がＨ＋およびＯ２−から離れてしまい、その結果、Ｈ＋とＯ２−が中和されて、イオンの量が減少すると考えられる。
【００６４】
第２には、雰囲気温度が適度な高温であると、水分子の運動エネルギーが適度に高くなり、その結果、放電による水分子からＨ＋およびＯ２−への変化量が増加すると共に、水分子に囲まれていないＨ＋およびＯ２−に水分子が吸着されてＨ＋とＯ２−との中和が抑制されると考えられる。
【００６５】
上記構成のヘアドライヤは、次のように動作する。
【００６６】
上記操作部１７の電源オンオフ切換部３１で、電源をオンにして、イオン発生器７によって正イオンと負イオンを発生させ、送風ファン６によって吹き出された吹出空気にイオンを放出する。
【００６７】
このとき、上記操作部１７によって、クールモード選択部４１、セットモード選択部４２、セットヘアケアモード選択部４３、ドライモード選択部４４、ドライヘアケアモード選択部４５およびイオン量増加モード選択部４６の何れか一つを操作して、所望のモードを選択できる。また、操作部１７のターボオンオフ切換部３２によって、吹出空気の風量を「強」「弱」の２段階に調整することができる。
【００６８】
いま、上記イオン量増加モード選択部４６によってイオン量増加モードが選択されると、吹出口１１からの吹出空気の温度が、予め定められたイオン量増加温度範囲である５０℃から１００℃に入るように、ヒータ５の出力が制御されるので、イオン量増加モード時に、吹出口１１から吹き出された正イオンおよび負イオンの量を、極大値または極大値近傍とできる。つまり、吹出口１１から吹き出されたイオンの量を、極大値または極大値に近い程度に多くすることができる。この結果、髪に対するイオン効果を最大限に発揮することができる。例えば、大量の正イオンおよび負イオンを髪に供給することにより、髪に帯びた静電気の電荷を中和し静電気を除去して、髪のまとまりをよくできる。また、イオンを髪に最大限に供給できるので、イオンに付随する水を髪に十分に供給し、保湿を確保して、キューティクルダメージ等を防止し、髪を保護することができる。
【００６９】
なお、上記吹出口１１から吹き出された正イオンおよび負イオンの量は、吹出口１１から外側に３ｃｍ離れた所で測定した値である。
【００７０】
また、上記イオン発生器７は、Ｈ＋（Ｈ２Ｏ）ｍである正イオンとＯ２−（Ｈ２Ｏ）ｎである負イオンとを発生する。これにより、Ｈ＋（Ｈ２Ｏ）ｍである正イオンとＯ２−（Ｈ２Ｏ）ｎである負イオンの特有の性質により、放出された正イオンおよび負イオンは比較的長い期間存在するが、この場合においても、さらに、イオンの存在量を増大させることができる。
【００７１】
また、上記制御部２１は、イオン量増加モード時に、セットモードにおけるヒータ５の出力よりも小さな出力となるように、ヒータ５の出力を制御するので、セットモード時よりも低温の状態で、イオンを髪に最大限に供給できて、髪に十分潤いを与えることができ、セット時等に髪の損傷を防止できる。
【００７２】
また、上記イオン量増加温度範囲は、５０℃から１００℃であるので、正イオンおよび負イオンの量を一層確実に多くすることができる。
【００７３】
なお、この発明は上述の実施形態に限定されない。例えば、クールモード、セットヘアケアモードおよびドライヘアケアモードを省略して、セットモード、ドライモードおよびイオン量増加モードのみとしてもよい。
【００７４】
また、操作部の操作により、送風ファンの回転速度を３つ以上の段階に調整して、吹出空気の強さを調節できるようにしてもよい。また、操作部の操作により、ヒータのオフを選択して、冷風を吹き出すようにしてもよい。また、イオン発生器の正イオン発生部と負イオン発生部とを、別体に形成してもよい。
【００７５】
また、上記イオン発生器により、Ｈ＋（Ｈ２Ｏ）ｍである正イオンとＯ２−（Ｈ２Ｏ）ｎである負イオンとを発生したが、Ｈ＋（Ｈ２Ｏ）ｍ以外の正イオンとＯ２−（Ｈ２Ｏ）ｎ以外の負イオンとを発生するようにしてもよく、この場合においても、イオンの存在量を増大させることができる。また、イオン発生器は、正イオンまたは負イオンの一方を発生させるようにしてもよく、この場合においても、発生したイオンの存在量を増大させることができる。
【００７６】
また、上記実施形態では、ヘアケア装置としてヘアドライヤを例に説明を行ったが、本発明のヘアケア装置としては、ヘアドライヤに限らず、例えば、ヘアアイロンやロールブラシであってもよく、また、風を吐出できて、髪のケアに使用できる装置であれば、如何なる装置であってもよい。
【００７７】
また、本発明の思想を、ヘアケア装置以外に、空気清浄機や、空気調和機や、温風ヒータや、乾燥機などの送風機に用いてもよい。具体的に述べると、これらの送風機に、上記実施形態の送風ファン、ヒータ、操作部、イオン発生器および制御部を設け、制御部は、イオン量増加モードにおいて、吹出空気の温度が、このイオン量増加温度範囲に入るように、ヒータの出力を制御する。
【符号の説明】
【００７８】
１  ケーシング
２  ハンドル
３  吸気フィルタ
５  ヒータ
６  送風ファン（送風装置）
７  イオン発生器
１１  吹出口
１２  吸込口
１５  正イオン発生部
１６  負イオン発生部
１７  操作部
２１  制御部
３１  電源オンオフ切換部
３２  ターボオンオフ切換部
４１  クールモード選択部
４２  セットモード選択部
４３  セットヘアケアモード選択部
４４  ドライモード選択部
４５  ドライヘアケアモード選択部
４６  イオン量増加モード選択部
Ｐ１  風通路
【図１】
2013102804.tif 000003
【図２】
2013102804.tif 000004
【図３】
2013102804.tif 000005
【図４】
2013102804.tif 000006
【図５】
2013102804.tif 000007
【図６】
2013102804.tif 000008
【図７Ａ】
2013102804.tif 000009
【図７Ｂ】
2013102804.tif 000010
【図８Ａ】
2013102804.tif 000011
【図８Ｂ】
2013102804.tif 000012
【図９Ａ】
2013102804.tif 000013
【図９Ｂ】
2013102804.tif 000014
【図１０Ａ】
2013102804.tif 000015
【図１０Ｂ】
2013102804.tif 000016